(57)【要約】【課題】本願の目的は、二つの収納部に異種の液状物を収容する２重ポーチであって、静的荷重では開通されず、収納部を手で押さえると特定部位が開かれて両収納部の間が開通され、非接合面を持つ２重ポーチ及び該ポーチのための熱封合金型を提供することである。【解決手段】第１収納部及び第２収納部を含み、その境界である内側接合線に第１分岐接合線及び第２分岐接合線で形成される非接合空間を備え、第１分岐接合線に設けられた長い非接合部と、第２分岐接合線に設けられた短い非接合部とが設けられる加圧開放部を含む２重ポーチと、第１分岐接合線及び第２分岐接合線に対応し且つ、その途中に長い切欠及び短い切欠が設けられる第１分岐接合用パッド及び第２分岐接合用パッド又はその途中に長いヒートシンク及び短いヒートシンクを備える第１分岐接合ライン及び第２分岐接合ラインを備える金型と、提供する。【選択図】図１
2011148554.tif 000002
【特許請求の範囲】
【請求項１】
外周縁が外側接合線で熱封合され、その中間が内側接合線で熱封合されることにより、二つの区画された第１収納部及び第２収納部を形成して異種の液状物を収容することができる２重ポーチであって、
前記内側接合線（４）の略中間で二股に分かれて延在している第１分岐接合線（１２）及び第２分岐接合線（１４）と、及び、前記第１分岐接合線（１２）及び前記第２分岐接合線（１４）によって丸い三角形状または半円形状に形成される非接合空間（１６）と、が形成され、
前記第１分岐接合線（１２）及び前記第２分岐接合線（１４）の途中には、各々前記第１収納部（６）と前記非接合空間（１６）との間を閉鎖する長い非接合部（１８）と、前記非接合空間（１６）と前記第２収納部（８）との間を閉鎖する短い非接合部（２０）とが設けられる、加圧開放部（１０）を備え、
前記長い非接合部（１８）及び前記短い非接合部（２０）は、前記第１収納部（６）に加えられた圧力により開かれるようになることを特徴とする、押さえ開ける非接合面を持つ２重ポーチ。
【請求項２】
前記加圧開放部（１０）は、前記内側接合線（４）から延在している鋭角で結合される一対の接合支持線（２２）をさらに含み、前記接合支持線（２２）の頂部から前記第１分岐接合線（１２）及び前記第２分岐接合線（１４）が、それぞれ二股に分れて延在していることを特徴とする請求項１に記載の押さえ開ける非接合面を持つ２重ポーチ。
【請求項３】
前記１対の接合支持線（２２）の対向面には、接合突起部（２２ａ）が交互になる位置で設けられることを特徴とする請求項２に記載の加圧開放される非接合部を有する２重ポーチ。
【請求項４】
前記第１分岐接合線（１２）及び前記第２分岐接合線（１４）の幅は、前記内側接合線（４）の１／３に該当する狭い幅に設定されていることを特徴とする請求項１または２に記載の押さえ開ける非接合面を持つ２重ポーチ。
【請求項５】
前記加圧開放部（１０）の前記長い非接合部（１８）の長さは５〜７ｍｍであり、前記短い接合線（２０）は前記長い非接合部（１８）の０．５〜０．７倍の長さに設定されていることを特徴とする請求項請求項１または２に記載の押さえ開ける非接合面を持つ２重ポーチ。
【請求項６】
２枚のフィルムシートを熱封合して、外側接合線及び内側接合線による二つの収納部が形成されるように、一側金型には熱圧着用パッドが付着されており、反対側金型には線状ヒーターが設けられている熱封合金型において、
前記熱圧着用パッドは、内側接合線（４）に対応する内側接合用パッド（４０ａ）と、接合支持線（２２）に対応する接合支持用パッド（２２０ａ）と、第１分岐接合線（１２）と第２分岐接合線（１４）に各々対応する第１分岐接合用パッド（１２０ａ）及び第２分岐接合用パッド（１４０ａ）とを備え、前記第１分岐接合用パッド（１２０ａ）及び前記第２分岐接合用パッド（１４０ａ）には、各々長い非接合部（１８）及び短い非接合部（２０）を形成するための長い切欠（１８０ａ）及び短い切欠（２００ａ）が設けられていることを特徴とする、押さえ開ける非接合面を持つ２重ポーチの製造に好適な熱封合金型。
【請求項７】
２枚のフィルムシートを熱封合して、外側接合線及び内側接合線による二つの収納部が形成されるように、一側金型には熱圧着用パッドが付着されており、反対側金型には線状ヒーターが設けられている熱封合金型において、
前記線状ヒーターは、内側接合ライン（４０ｂ）の前記接合支持線（２２）に対応する接合支持ライン（２２０ｂ）と、前記内側接合ライン（４０ｂ）の第１分岐接合線（１２）及び第２分岐接合線（１８）に各々対応する第１分岐接合ライン（１２０ｂ）及び第２分岐接合ライン（１４０ｂ）と、を含み、
前記第１分岐接合ライン（１２０ｂ）及び前記第２分岐接合ライン（１４０ｂ）の途中には、各々前記長い非接合部（１８）及び前記短い非接合部（２０）を形成するための長いヒートシンク（１８０ｂ）及び短いヒートシンク（２００ｂ）が各々設けられていることを特徴とする、押さえ開ける非接合面を持つ２重ポーチの製造に好適な熱封合金型。
【発明の詳細な説明】
【技術分野】
【０００１】
本発明は異種の液状物を別に区分して収容することができるように、二つの収納部を備えた２重ポーチに関し、特に収容された異種の液状物を先ず混合した後で開封して注出することができる構成となる押さえ開ける（ｐｒｅｓｓｕｒｅ−ｏｐｅｎａｂｌｅ）非接合面を持つ２重ポーチ（ｐｏｕｃｈ）と、その製造に好適な熱封合金型に関する。
【背景技術】
【０００２】
２枚のフィルムを熱間プレスして得るポーチは、優れた防水性と気密性とを持つ収納部を容易に成型することができるために、液状の洗剤、化粧水、薬剤、飲み物などを包装する用途に広く用いられている。
【０００３】
ポーチには通常、単一成分の液状物が収容されているが、ある種類のポーチは異種の液状物、または液体と粉末とを別に収納するように形成されており、これはデュプレックスストレージポーチ（特許文献１、特に図１）と公知されている。
【０００４】
前記デュプレックスストレージポーチは、二つの収納空間を区画する境界線をジグザグ状に延長して多数の頂点を形成している構造である。従って、開封時に手で収納部を圧すると、頂点部分に圧力が集中し、このように与えられる圧力で前記頂点部分が破壊されて区画された収納部の間が開通され、異種の液状物が混じるようになると説明されている。
【０００５】
ところで、実際には手で押す力によってデュプレックスストレージポーチのジグザグ状頂点部分を破壊しようとすれば、相当な力で押さえても開通しない。換言すると、手で収納部を圧す場合の圧力がジグザグ状の頂部に集中せず、周辺に均等に分散されるために、成人が力いっぱい押さえても前記境界線の頂部に加えられる圧力は弱く、開封させることが困難であるという問題が存在している。
【０００６】
本発明者はこのようなデュプレックスストレージポーチの問題点を解消しようと、二つの収納空間を区画する境界線に小さな三角形の空間を一つ、またはその以上に形成したポーチ（特許文献２、特に図１）を提案したことがある。本発明者の提案したポーチでは、境界線において三角形の空間が設けられている位置の接合強度は最も弱くなるので、その部分が小さな力でも割れて開通するように考えられているが、実際にはこの方式において割れて開通するために相当な力を要する。
【先行技術文献】
【特許文献】
【０００７】
【特許文献１】米国特許公開第２００４／００７９７６３号
【特許文献２】韓国実用新案公開第２０―２０１０―０００７５６２号
【発明の概要】
【発明が解決しようとする課題】
【０００８】
したがって、本発明は上記の問題を解消しようとするものである。
【０００９】
本発明の目的は、二つに区画された収納部に異種の液状物が別に収容される２重ポーチにおいて、前記収納部を区画する境界線の特定部位が、運搬または保管中に与えられる静的荷重によって開通せず、使用者が小さな力で押さえる程度の動的荷重によって開通される構造の押さえ開ける非接合面を持つ２重ポーチの提供にある。
【００１０】
また、本発明の別の目的は、前記２重ポーチの区分された収納部の間で特定部位に容易に非接合面を形成することができる構造の押さえ開ける非接合面を持つ２重ポーチ製造用熱封合金型の提供にある。
【課題を解決するための手段】
【００１１】
本発明は、前記の目的を達成するために次の構成を備える。
【００１２】
即ち、本発明に係る２重ポーチは、外周縁が外側接合線で熱封合され、その中間は内側接合線で熱封合されることにより、二つの区画された第１収納部及び第２収納部を形成して異種の内容物を収容することができる２重ポーチであって、前記内側接合線の略中間部に加圧開放部を設ける一方、前記内側接合線から二股に分かれて延在する第１分岐接合線及び第２分岐接合線により、丸い三角形状、または半円形状の非接合空間が前記加圧開放部内に形成されるようにすると共に、前記第１分岐接合線の途中には前記第１収納部と前記非接合空間との間を連通する長い非接合部が設けられ、前記第２分岐接合線の途中には前記非接合空間と前記第２収納部との間を連通する短い非接合部が設けられることを特徴とする。
【００１３】
上述の構成において、加圧開放部を形成する内側接合線の中途には、鋭角に延在される一対の接合支持線がさらに備えられることができる。この場合に、前記第１分岐接合線及び前記第２分岐接合線は、各各１対の接合支持線の頂点から二股に分れて延在するように形成される。
【００１４】
さらに好適には、前記１対の接合支持線の対向面には、接合突起部が交互になる位置に設けられることができる。
【００１５】
また、前記第１分岐接合線及び前記第２分岐接合線の幅は、前記内側接合線の１／３に該当する狭い幅に設定することが望ましい。
【００１６】
また、前記長い非接合部の長さは５〜７ｍｍとされることが好ましく、短い非接合部は長い非接合部の０．５〜０．７倍の長さに設定されることが好ましい。
【００１７】
なお、本発明に係る２重ポーチの製造に好適な熱封合金型は、２枚のフィルムシートを熱封合して、外側接合線及び内側接合線による二つの収納部が形成されるように、一側金型には熱圧着用パッドが付着されており、反対側金型には線状ヒーターが設けられている熱封合金型であって、前記熱圧着用パッドは前記第１分岐接合線及び第２分岐接合線を形成するための第１分岐接合用パッド及び第２分岐接合用パッドを含み、かつ、前記第１分岐接合用パッド及び第２分岐接合用パッドには、各々長い非接合部及び短い非接合部に対応する長い切欠部及び短い切欠部が形成されていることを特徴とする。
【００１８】
また、前記熱圧着パッドに長い切欠と短い切欠を形成するかわりに、前記線状ヒーターと対応する位置に、各々長いヒートシンクと短いヒートシンクとを設けてもよい。
【発明の効果】
【００１９】
本発明に係る２重ポーチは、区画形成された第１収納部及び第２収納部に異種の液状物を別々に収容することができ、また、区画された第１収納部及び第２収納部との間には非接合空間として、長い非接合部及び短い非接合部による２重遮断構造を備えた加圧開放部が設けられている構造であって、前記長い非接合部及び前記短い非接合部は、実際には接合されない部分のみならず、運搬や保管時に加えられる静的荷重によって開通されず、使用者が外部を手で押さえる動的荷重によってのみ開通されるので、使用前まで区分して包装しなければならない毛髪染色剤及び酸化剤等の異種液状物の包装に特に適合に採用されることができる。
【００２０】
そして、本発明に係る２重ポーチ製造用熱封合金型は、１対の金型が２枚のフィルムシートを熱封合する過程で、一側金型の第１分岐接合用パッド及び第２分岐接合用パッドに各々含まれた長い切欠部及び短い切欠部によって、長い非接合部及び短い非接合部を備える加圧開放部が簡単に設けられる。
【図面の簡単な説明】
【００２１】
【図１】本発明に係る２重ポーチの一実施例を示す正面図である。
【図２】図１に示した主要部“Ａ”部分の拡大図である。
【図３】図２のＩＩＩ−ＩＩＩ線に沿った拡大断面図である。
【図４】本発明に係る２重ポーチの他の実施例を示す正面図である。
【図５】図４に示した主要部“Ｂ”部分の一例を示す拡大図である。
【図６】図５に示した“Ｂ”部分の他の例を示す拡大図である。
【図７】本発明に係る２重ポーチの製造に適合な熱封合金型の一例を示す部分斜視図である。
【図８】本発明に係る２重ポーチの製造工程を示す概略図である。
【図９】本発明に係る２重ポーチの製造に適合な熱封合金型の他の例を示す部分斜視図である。
【発明を実施するための形態】
【００２２】
以下、本発明に係る２重ポーチ（ｐｏｕｃｈ）と、このポーチの製造に好適な熱封合金型とについて詳細に説明する。
【００２３】
本発明に係る２重ポーチは、図１に示したように、外周縁が外側接合線２に熱封合されて外郭が作られると同時に、略中間部において内側接合線４が横切るように、熱封合されて二つに区画された第１収納部６と第２収納部８とを備えた構成を備える。
【００２４】
二つに区画された第１収納部６及び第２収納部８には、各々成分が異種の液状物、例えば、使用前まで区分包装されなければならない毛髪染色剤及び酸化剤等のように、若干の粘性を持つ液状物が別々に収容される。
【００２５】
一方、第１収納部６及び第２収納部８の境界になる内側接合線４の途中には、加圧開放部１０が設けられる。
【００２６】
前記加圧開放部１０は、図２に示したように、内側接合線４から二股に分かれて延在している第１分岐接合線１２及び第２分岐接合線１４により、丸い三角形状、または半円形状に形成される非接合空間１６を含み、前記第１分岐接合線１２及び前記第２分岐接合線１４は各々途中に長い非接合部１８と短い非接合部２０とを備えた構成になる。
【００２７】
ここで、前記第１分岐接合線１２及び第２分岐接合線１４の幅は、内側接合線４の略１／３程度が良く、このように狭くに形成することによって、加圧開放部１０の他の部分に比べて弱い接合力を持つようになる。
【００２８】
本発明に係る２重ポーチは、通常のポーチと同様に、外側接合線２及び内側接合線４を６〜７ｍｍ幅で接合するので、前記第１分岐接合線１２及び第２分岐接合線１４の幅は２ｍｍで形成することが望ましい。
【００２９】
次に、長い非接合部１８の断面構造について説明すると、図３に示したように、両側に隣接する第１分岐接合線１２は一体に封合されているが、前記長い非接合部１８に該当する部分から、２枚のフィルムが単純に重なった構造になる。換言すると、２枚のフィルムを熱封合過程で、長い非接合部１８は、ヒーターで押さえられず、単に２００〜２７５℃の範囲に保持される熱封合雰囲気の影響を受けるので、その表面が溶解されるだけであり、内側は融合されておらずそのままに重なった状態を保っているようになる。
【００３０】
熱封合されない前記長い非接合部１８は、冷却された後にも外観上一体に封合された第１分岐接合線１２との区別が容易でない。
【００３１】
このように設けられる前記長い非接合部１８は、封合されず、単に相接している部分であるので、使用者が手で外部を押さえる力による動的荷重が作用すると、開かれるようになる。
【００３２】
また、前記第２分岐接合線１４の短い非接合部２０も、長い非接合部１８と同様な構造として、単に長さのみを短くしたものである。
【００３３】
上述した特徴的構造により、長い非接合部１８及び短い非接合部２０は各々、第１分岐接合線１２の間及び第２分岐接合線１４の間で常に開いているが、第１収納部６及び第２収納部８に収容された液状物は自然に通過することができないので、異種の液状物同士が混合することが生じない。即ち、長い非接合部１８及び短い非接合部２０は、形成した後から、材質の特性による静電気の作用で隙間なく接触するので、使用者が手でポーチの外部を押さない限り、前記第１分岐接合線１２の間及び第２分岐接合線１４の間を閉鎖状態に保持しているようになる。
【００３４】
一方、本発明に係る２重ポーチにおいて、第１収納部６及び第２収納部８に加わる外部圧力は、使用者の手による動的荷重と、運搬または保管時に積み上げたポーチの重量が下側に与えられる静的荷重と、である。
【００３５】
前記静的荷重は、外部から第１収納部６及び第２収納部８にすべて作用するので、これらの内部圧力は分散によって均一になり、それ故に、前記長い非接合部１８及び前記短い非接合部２０に加わる力は、静電気による接合力より弱く、閉鎖状態に保っている。
【００３６】
但し、長い非接合部１８はその長さが脆弱点になるので、長い非接合部１８の部分から静的荷重により漏れが生じるおそれがあるが、漏れても液状物は加圧開放部１０の非接合空間１６に溜まるようになり、また、非接合空間１６は短い非接合部２０により２重に遮断されているために、漏れた液状物は非接合空間１６の内部を満たすようになる。
【００３７】
さらに、前記非接合空間１６は、漏れた液状物で満たされるほど、水ぶくれ状にふくらみながら、前記長い非接合部１８及び短い非接合部２０を緊張させ、より閉鎖されるようにするので、前記第１収納部６の間及び第２収納部８の間が静的荷重に開通されることはない。
【００３８】
従って、運搬、または保管中には、第１収納部６の間及び第２収納部８の間が自然に開通されて異なる種類の液状物が混合することが生じない。
【００３９】
一方、第１収納部６と非接合空間１６との間に設けられる第１分岐接合線１２の長い非接合部１８の長さをあまりにも長くすると、非接合された面が密着された状態に保たれることが難しくなり、逆にあまりにも短くすると、手で押さえる力だけで容易に開通されることが難しくなるので、適宜な長さで限定されなければならない。この長さは、本発明者の実験によると、成人が平手で適当に押す程度から、第１収納部６の非接合空間１６が開通される長さは５〜７ｍｍの範囲であった。
【００４０】
また、長い非接合部１８の長さを８ｍｍ以上にすると、積んで上げたポーチの静的荷重を最大に加えられる最下側付近のポーチから、第１収納部６の液状物が非接合空間１６に漏れやすくしてしまうことがあるので望ましくなく、４ｍｍ以下の長さにすると、より強い力で押さえなければ開通されないので不便になる。
【００４１】
そして、短い非接合部２０の長さは、通常液状物の流通を防ぐが、動的荷重が与えられる時に開かれるのに十分であり、より詳細には、第１分岐接合線１２の長い非接合部１８に対して０．５〜０．７倍の長さに設定されている。
【００４２】
ここで、短い非接合部２０の長さを、前記長い非接合部１８の０．５倍未満にすると、使用者が倍加した力で押さえなければ開かず、０．８倍以上にすると漏れを防ぐ作用が弱化し、外部の衝撃にもたやすく漏れしまう問題が生じるので望ましくない。
【００４３】
本発明者の実験によると、前記長い非接合部１８は６ｍｍで、また、短い非接合部２０は３．５ｍｍに設定した試料から所望する閉鎖作用を得るころができる。
【００４４】
上述した実施例の２重ポーチにおいて、使用者が平手で第１収納部６を押さえて開通させることで、区分収容された液状物を混合し始める。即ち、使用者が第１収納部６の外表面を加圧すると、その中に収容された液状物が圧力を起こすようになり、その圧力は動的荷重として加圧開放部１０の長い非接合部１８に与えて相接されている隙間を開けるようになる。
【００４５】
換言すると、使用者が２重ポーチの第１収納部６を押さえる度に、液状物が非接合空間１６に流入され、これを繰り返すことによって非接合空間１６の内部は液状物で満たしながら圧力が高くなり、次いで、この圧力は短い非接合部２０に付与され、短い接合部２０を開放させることにより、前記第１収納部６の液状物が第２収納部８の液状物と混ざり合わせることができる。
【００４６】
この実施例に係る２重ポーチは、使用者によって外部から加えられる力による動的荷重が加圧開放部１０の長い非接合部１８及び短い非接合部２０に順に作用するだけで、前記第１収納部６と前記第２収納部８との間を連通させる構造であって、運搬または保管中の積み上げられたポーチから、下側付近のポーチに加えられる静的荷重では開かない。
【００４７】
即ち、第１収納部６及び第２収納部８に加えられる静的荷重は、内部全体にかけて均等に分散されて、前記長い非接合部１８を開くほどの圧力に達してないので、前記第１収納部６の液状物が第２収納部８に流入して混合することは生じない。
【００４８】
また、運搬中においての外部衝撃により瞬間的に強い静的荷重がポーチに加えられる場合もあるが、この場合にも漏れが起こる箇所は長い非接合部１８に限られ、非接合空間１６と第２収納部８との間は、短い接合線２０によってそのままに閉鎖された状態を保っているようになる。したがって、運搬中に外部衝撃が加わったとしても第１収納部６の液状物と第２収納部８の液状物とが混ざり合うことはない。
【００４９】
本発明に係る２重ポーチは、上述の実施例に限定されるものではなく、本発明の目的を達成できる範囲であれば次の構成にも実施可能である。
【００５０】
図４及び図５は、本発明に係る２重ポーチの他の実施例を示している。
【００５１】
この実施例の特徴は、前記加圧開放部１０に内側接合線４から同一な幅で延在しながら鋭角で結合されて頂部を形成する一対の接合支持線２２をさらに備えた構造であって、その外に前記接合支持線２２が結合される頂部には、狭い幅の第１分岐接合線１２及び第２分岐接合線１４による三角形状、または半円形状の非接合空間１６が設けられると共に、前記第１分岐接合線１２の途中には長い非接合部１８が設けられ、そして第２分岐接合線１４の途中には短い非接合部２０が各々設けられる等の基本構成は、前記実施例と同様である。
【００５２】
上述の構成によると、長く延在している接合支持線２２がその周辺より高い硬度を持つようになるので、第１分岐接合線１２の両側は前記接合支持線２２により緊張されながら支持される。
【００５３】
さらに、前記接合支持線２２の間は、第１収納部６から長く奥まった部分に形成されており、この部分から第１分岐接合線１２に近接する部位までは、液状物が依然として充填されずに真空に形成されているので、強く密着される。それ故に、前記接合支持線２２により支持される長い非接合部１８の閉鎖状態は強く保持されるので、運搬中に大きい静的荷重が与えても自然に開かれることが起こらない。
【００５４】
尚、この実施例において、使用者が第１収納部６を押さえると、収容した液状物が一対の接合支持線２２によって長い非接合部１８に案内され、また、集中された圧力を与えるので、強く密着された長い非接合部１８も苦労しないで開放させることができる。
【００５５】
即ち、この実施例の２重ポーチは、使用者が第１収納部６を親指または平手で押さえて、加圧開放部１０の接合支持線２２の内側へ液状物が集中するようにでき、このような操作によって液状物が起こす圧力が動的荷重であり、損失なく、確実に長い非接合部１８に与えられて、開放させるようになる。
【００５６】
図６はこの実施例に係る変形例であって、前記接合支持線２２の対向面に接合突起部２２ａが交互になる位置に設けられたことを示している。また、この変形例において、１対の接合支持線２２は内側接合線４に対して略直角に延長した形態になっている。
【００５７】
この変形例は、接合突起部２２ａによって接合支持線２２の内側通路がゆるやかに曲がった形態となり、前記長い非接合部１８に与える圧力の減衰作用を奏するので、第１収納部６と第２収納部８との間の閉鎖状態は、より一層堅固に保つことができ、運搬中に突然の衝撃が加えられても開放することがない。
【００５８】
上述した本発明の２重ポーチは、図７に示した熱封合金型によって製造されることができる。
【００５９】
示した熱封合金型は、本発明に係る２重ポーチの加圧開放部１０に対応する部分だけを限定した一側金型１０ａと、これに型合する反対側金型１０ｂとを概略的に図示している。
【００６０】
この熱封合金型の一側金型１０ａには圧着のためのパッドが備えられており、また反対側金型１０ｂには熱封合のための線状ヒーターが備えられている。
【００６１】
前記一側金型１０ａのパッドには、内側接合線４に対応する内側接合用パッド４０ａと、接合支持線２２に対応する接合支持用パッド２２０ａと、上述の記第１分岐接合線１２及び第２分岐接合線１２に各々対応する第１分岐接合用パッド１２０ａ及び第２分岐接合用パッド１４０ａと、が設けられる。
【００６２】
ここで、第１分岐接合用パッド１２０ａ及び第２分岐接合用パッド１４０ａには、上述の長い非接合部１８及び短い非接合部２０に各々対応する長い切欠１８０ａ及び短い切欠２００ａが一体に形成される。
【００６３】
前記線状ヒーターには、内側接合線４に対応する内側接合ライン４０ｂと、接合支持線２２に対応する接合支持ライン２２０ｂと、各々第１分岐接合線１２及び第２分岐接合線１４に対応する第１分岐接合ライン１２０ｂ及び第２接合ライン１４０ｂとが設けられる。
【００６４】
このような構成の熱封合金型による本発明の２重ポーチの製造過程は、公知されたポーチと同様な方式で行われる。
【００６５】
図８は本発明に係る２重ポーチの製造工程を説明する図面で、ポーチになるフィルムシートは２枚が重なった状態で、両金型１０ａ、１０ｂとの間に供給されて型合させると、２００〜２７５℃範囲の雰囲気から封合部位が熱融着されることによって１次熱封合される。
【００６６】
１次熱封合は上述の第１収納部６と第２収納部８とを形成する過程であるので、これら両収納部６、８の一側はまだ封合されないまま残っており、この封合されない部分にノズルＮが挿入されて所定の液状物が注入される。
【００６７】
液状物の注入が終わると、また型合されて前記封合されない部分の熱封合が行われることで所望の２重ポーチが得られる。
【００６８】
尚、注入される液状物が長く貯蔵すれば変質されるものである場合には、注入過程の終わりに窒素ガスを満たし入れながら熱封合することもできる。
【００６９】
図８を参照した説明は、１次熱封合と、液状物の注入と、２次熱封合とに区分して表現しているが、これは説明の便宜上区分したことであり、実際には液状物の注入が終わり、ノズルＮがポーチから引き抜くと同時に両金型１０ａ、１０ｂが閉じられながら２次熱封合が行われるようになる。
【００７０】
上述の熱封合金型は、図７の構造に限定されないで、図９に示したように、線状ヒーターを備えた反対側金型１０ｂにおいて、内側接合ライン４０ｂから延在している接合支持ライン２２０ｂの間を結んだ第１分岐接合ライン１２０ｂ及び第２分岐接合ライン１４０ｂの裏面に、各々長いヒートシンク１８０ｂ及び短いヒートシンク２００ｂが設けられ、これらの冷却作用により熱封合中にも前記長い非接合部１８及び短い非接合部２０に該当する部分が溶解しないで閉鎖された状態に残っている。
【００７１】
尚、本発明に係る２重ポーチにおいて、加圧開放部１０に設けられる非接合空間１６も、上述の実施例のように、１個所だけに限定して配置されるのではなく、複数に配置することも可能である。
【符号の説明】
【００７２】
２  外側接合線
４  内側接合線
６  第１収納部
８  第２収納部
１０  加圧開放部
１０ａ  一側金型
１０ｂ  反対側金型
１２  第１分岐接合線
１４  第２分岐接合線
１６  非接合空間
１８  長い非接合部
２０  短い非接合部
２２  接合支持線
２２ａ  接合突起部
４０ａ  内側接合用パッド
４０ｂ  内側接合ライン
１２０ａ  第１分岐接合用パッド
１２０ｂ  第１分岐接合ライン
１４０ａ  第２分岐接合用パッド
１４０ｂ  第２分岐接合ライン
１８０ａ  長い切欠
１８０ｂ  長いヒートシンク
２００ａ  短い切欠
２００ｂ  短いヒートシンク
２２０ａ  接合支持用パッド
２２０ｂ  接合支持ライン
【図１】
2011148554.tif 000003
【図２】
2011148554.tif 000004
【図３】
2011148554.tif 000005
【図４】
2011148554.tif 000006
【図５】
2011148554.tif 000007
【図６】
2011148554.tif 000008
【図７】
2011148554.tif 000009
【図８】
2011148554.tif 000010
【図９】
2011148554.tif 000011